(57)【要約】【課題】            従来の運転免許証の識別装置は挿入口から運転免許証の全体が内部へ入ってしまうため、アンローディング時に引っ掛かり等が生じてしまうと当該免許証を取り出すことが困難となってしまう事態も発生していたという点である。【解決手段】        挿入口は複数種のサイズのカード類の挿入が可能とされ、小型サイズのカード類の挿入ガイド片は下方からスプリングで附勢されて支持され、その挿入ガイド片は大型サイズのカード類の挿入時には押されて下降するものとされ、カード類の全体が装置の中に入らない構造とし、かつ、挿入したカード類を摘み出し易くする構造が設けられていることとする。【選択図】          図１
2008015724.tif 000002
【特許請求の範囲】
【請求項１】
挿入口から挿入されたカード類を光学系センサーを使用し、反射率、透過率の差を比較して真贋を判定する装置であって、前記した光学系センサーとして赤外線センサー、可視光センサー、紫外線センサーの三つを用いてあることを特徴とするカード類の真贋判定装置。
【請求項２】
挿入口は複数種のサイズのカード類の挿入が可能とされ、小型サイズのカード類の挿入ガイド片は下方からスプリングで附勢されて支持され、その挿入ガイド片は大型サイズのカード類の挿入時には押されて下降するものとされ、カード類の全体が装置の中に入らない構造とし、かつ、挿入したカード類を摘み出し易くする構造が設けられていることを特徴とするカード類の真贋判定装置。
【請求項３】
前記した挿入したカード類を摘み出し易くする構造は切り欠き部の形成としたことを特徴とする請求項２に記載のカード類の真贋判定装置。
【請求項４】
前記した押入したカード類を摘み出し易くする構造はスプリングで附勢されたヒンジ機構としたことを特徴とする請求項２に記載のカード類の真贋判定装置。
【請求項５】
カード類として自動車運転免許証を対象としていることを特徴とする請求項１、請求項２、請求項３または請求項４に記載の真贋判定装置。
【発明の詳細な説明】
【技術分野】
【０００１】
本発明はカード類、主として自動二輪車も含めた自動車運転免許証の真贋判定装置に関する。
【背景技術】
【０００２】
近時、自動販売機によって本来は未成年者に対する販売が規制されているアルコール飲料、煙草をはじめ成人向けの録画済ビデオテープ、ＤＶＤ、雑誌等が自由に購入できる状態となっている。
【０００３】
かかる商品を取り扱う自動販売機には現在年齢を確認し、購入状態にセットアップするため、自動運転免許証を挿入させて年齢を算出する運転免許証の識別装置が付設されるようになってきている。
【特許文献１】特願２０００−８１５４６号出願書類
【発明の開示】
【発明が解決しようとする課題】
【０００４】
本発明が解決しようとする問題点は、前記した運転免許証の識別装置としてコピー機やプリンタを使用した偽造免許証に対しても対応が十分とはいえず、特に真正の運転免許証の生年月日の欄にコピー機による数字を小さく切って貼着したタイプの偽造免許証を識別できる装置は存在していないという点である。
【０００５】
また、運転免許証は現在、大型のものと小型のものの二種類が真正のものとして発行され存在しているが、その両者の生年月日欄の数字位置を同一場所で揃えて捉える手段としてスプリングで附勢されたローラを用いて横方向からガイドする機構のものが知られているが、この機構は運転免許証を斜めにしてしまい、常に整然と処理することが難しいものとなっており、さらには、挿入口から運転免許証の全体が内部へ入ってしまうため、アンローディング時に引っ掛かり等が生じてしまうと当該免許証を取り出すことが困難となってしまう事態も発生していたという点である。
【課題を解決するための手段】
【０００６】
この目的を達成するために、本発明に係るカード類の真贋判定装置は挿入口から挿入されたカード類を光学系センサーを使用し、反射率、透過率の差を比較して真贋を判定する装置であって、前記した光学系センサーとして赤外線センサー、可視光センサー、紫外線センサーの三つを用いてあることを特徴とし、挿入口は複数種のサイズのカード類の挿入が可能とされ、小型サイズのカード類の挿入ガイド片は下方からスプリングで附勢されて支持され、その挿入ガイド片は大型サイズのカード類の挿入時には押されて下降するものとされ、カード類の全体が装置の中に入らない構造とし、かつ、挿入したカード類を摘み出し易くする構造が設けられていることを特徴とし、前記した挿入したカード類を摘み出し易くする構造は切り欠き部の形成としたことを特徴とし、前記した押入したカード類を摘み出し易くする構造はスプリングで附勢されたヒンジ機構としたことを特徴とし、カード類として自動車運転免許証を対象としていることを特徴としている。
【発明の効果】
【０００７】
かかる構成としたことにより、三種の光学センサーによる三つの条件をクリアする必要が生じ偽造したカード類は誤りなく拒否されることとなり、また、大型のカード類、小型のカード類にも全く同様の対処となって、カード類を作動させることもなくなるので正確で整然とした対処がなされることとなり、挿入したカード類を摘み出すことが非常に容易となるのである。
【発明を実施するための最良の形態】
【０００８】
図面として示す実施例のように構成することで実現した。
【実施例１】
【０００９】
次に、本発明の好ましい実施の形態を図面を参照して説明する。図１は本発明を運転免許証に対応させて実施したカード類の真贋判定装置を示す平面図、図２は同じく図１におけるＡ矢視側面図、図３は同じく電子回路ブロック図、図４は別途の実施例を示す図である。
【００１０】
これらの図にあって１はケーシングを示し、このケーシング１の前面には運転免許証Ｌの挿入口２が設けられており、この挿入口２には挿入した運転免許証が摘み出し易いように切り欠き部２ａが形成されている。具体的には挿入口２は略１７ｍｍ前方へ突き出され、切り欠き部２ａにおいて免許証を摘める部分を略１４ｍｍに想定してある。
【００１１】
前記したケーシング１内には挿入口２に続いて運転免許証の引き込みローラ３、３が軸支されており、この引き込みローラ３、３は運転免許証の挿入距離を計測するための回転スリットが備えられているもので、搬送中及び停止時に運転免許証の高さ位置を固定保持する。なお、４、４はこの引き込みローラ３、３と転接する送り補助ローラである。
【００１２】
前記した引き込みローラ３、３は運転免許証が挿入口２へ挿入されたことを検知する光学系のスタートセンサー５、５が入力され、特に図示しないモータ等の駆動源が起動することによって回転を開始し、運転免許証を装置内へローディングする。
【００１３】
また、引き込みローラ３、３及び補助ローラ４、４に続く搬路には可視光ＬＥＤ及びその受光素子から成る可視光センサー６及び赤外線ＬＥＤ及びその受光素子から成る赤外線センサー７が備えられ、続いて透過型の可視光センサー８が備えられている。
【００１４】
さらには、紫外線ＬＥＤ及びその受光素子から成る紫外線センサー９が設けられ、大型の運転免許証が挿入された場合、それを検知するサイズセンサー１０と奥端まで運転免許証が到達し、計測終了されたことを検出するエンドセンサー１１が設けられている。
【００１５】
そして、図中１２は運転免許証に記載された生年月日を読み取る密着型のラインセンサーであり、このラインセンサー１２にはＣＰＵから信号を受ける、横向きに取り付けた貼り付けを検出するＬＥＤ１４の信号も送られるものとなっている。
【００１６】
一方、図中１３は小型の運転免許証用の側縁ガイドで、この側縁ガイドは下方でスプリングによって支持された前端上縁をアール状に形成したもので、大型の運転免許証を挿入口２に挿入した際には、その大型の運転免許証によって押され容易に下降するものとなっており、大型の免許証も小型の免許証も強制的にラインセンサー１２の位置に合せガイドできる構成となっている。１３ａはこの側縁ガイド１３が下降するための切り欠きである。
【００１７】
本実施の形態に係る運転免許証を対象としたカード類の真贋判定装置は上記のように構成されている。ここで、挿入口２に運転免許証を挿入して、スタートセンサー５、５を横切ってメカニズムのスイッチがＯＮ状態となると、紫外線センサー９と貼り付けを検出するＬＥＤ１４以外のＬＥＤが点灯し、引き込みローラ３、３に設けられたスリットで挿入距離を計測し、共にラインセンサー１２によって運転免許証に記載された生年月日を読み取る。また、運転免許証の紋様を可視光センサー６、赤外線センサー７及び透過型の可視光センサー８によって読み取る。
【００１８】
運転免許証がローディングされてエンドセンサー１１を横切ると計測終了となり、前記したＬＥＤは消灯し、今度は紫外線センサー９が点灯して運転免許証の引き抜き時に引き込みローラ３、３のスリットで引き抜き距離を計測するとともに紫外線の反射率を計測する。同時に貼り付けを検出するＬＥＤ１４を点灯させて貼り付けの有無をラインセンサー１２によって読み取ることとなる。
【００１９】
本実施の形態における可視光センサー６と赤外線センサー７は運転免許証の写真部分と対応する配置となっており、波長による反射率の相違を利用して真贋を判定する。即ち、赤外線センサー７における赤外線の反射率は写真上と写真のない部分での変化はないが、可視光センサー６、８における反射率、透過率は写真の有無によって大きく異なり、運転免許証の引き抜き時に作用する紫外線センサー９における紫外線は真正の運転免許証とコピー等の偽造したものとの紙質による反射率が大きく異なるので、この三つの条件をクリアしたものが真正の運転免許証と認定される。
【００２０】
また、真正の運転免許証の生年月日の欄に紙片等を貼着したものは運転免許証の横側からＬＥＤ１４によって光を照射して、貼着された紙片等の分表面より突起して反射率が高くなることを検出して行う。貼着された紙片等の端面は予想できないので反射検出はラインセンサー１２によって行う。即ち、ラインセンサー１２は挿入時には生年月日の数値を読み取り、引き抜き時に貼着された紙片等の検出を行うこととなる。
【００２１】
各センサーで受光されたアナログ値はマルチプレクサを経由して多重化されてＡ／Ｄコンバータによって変換されＣＰＵに取り込まれ真贋の判定が行われる。また、ラインセンサー１２のアナログ値は高速Ａ／Ｄコンバータによって変換されてＣＰＵに取り込まれ数値を認識させて基準年齢に達しているか否かの算定が行なわれる。
【００２２】
算定結果を商品購入希望者に認識させる手段として、装置前面に結果表示用のＬＥＤが取り付けられ、装置使用可能時は「受付可」、基準年齢に達していれば「購入可」、基準年齢以下であれば「販売不可」を点灯させる。同時に外部機器に対してはインターフェースを介して「販売可」の信号を出力して自動販売機や扉開閉の制御がなされるようになっている。
【００２３】
また、図４として示すのは運転免許証を摘み出し易くする別途の構造例であり、挿入口２の先端部分の下部にスプリング１５で附勢されたヒンジ１６を付設したものである。係る構造によると挿入口２の先端部分を指先で下方に押せばその部分が枢動して下降し、免許証を摘むスペースが生じることとなり、取り出し後、挿入口２の先端は復帰し、受け入れのスタンバイ状態となる。
【産業上の利用可能性】
【００２４】
なお、本実施の形態は運転免許証を対象として述べたが、運転免許証以外のカード類にあっても応用実施することができるのは勿論である。
【図面の簡単な説明】
【００２５】
【図１】本発明を運転免許証に対応させて実施したカード類の真贋判定装置を示す平面図である。
【図２】図１におけるＡ矢視側面図である。
【図３】電子回路ブロック図である。
【図４】別途の実施例を示す図である。
【符号の説明】
【００２６】
１    ケーシング
２    挿入口
３    引き込みローラ
４    補助ローラ
５    スタートセンサー
６    可視光センサー
７    赤外線センサー
８    透過型の可視光センサー
９    紫外線センサー
１０  サイズセンサー
１１  エンドセンサー
１２  ラインセンサー
１３  側縁ガイド
１４  貼り付けを検出するＬＥＤ
１５  スプリング
１６  ヒンジ
Ｌ    運転免許証
【図１】
2008015724.tif 000003
【図２】
2008015724.tif 000004
【図３】
2008015724.tif 000005
【図４】
2008015724.tif 000006